(57)【要約】      （修正有）【課題】紫外線が照射されたプラスチックに起因する不具合の発生を抑制することができる空気消毒器を提供する。【解決手段】空気の流入部１１、流出部１２を有するとともに空気が流れる流路１３の周囲を囲う本体１０と、流路１３に配置され、空気を流入部１１から流出部１２に向かって送り出す送風部２０と、流路１３に配置され、紫外線を照射する照射部３０と、流路１３に配置されて流路１３を流れる空気と接触する部材であって、紫外線の照射を受けて消毒作用を発揮する第１消毒剤が少なくとも表面に設けられた第１消毒部４０と、が設けられ、本体１０における少なくとも紫外線が照射される領域はセラミックを用いて形成されている。紫外線が照射される領域はセラミックを用いて形成されているため、紫外線の照射による不具合の発生を抑制しやすいという効果を奏する。【選択図】図１
0003229080.tif 000002
【実用新案登録請求の範囲】
【請求項１】
空気の流入部、流出部を有するとともに前記空気が流れる流路の周囲を囲う本体と、
前記流路に配置され、前記空気を前記流入部から前記流出部に向かって送り出す送風部と、
前記流路に配置され、紫外線を照射する照射部と、
前記流路に配置されて前記流路を流れる空気と接触する部材であって、前記紫外線の照射を受けて消毒作用を発揮する第１消毒剤が少なくとも表面に設けられた第１消毒部と、
が設けられ、
前記本体における少なくとも紫外線が照射される領域はセラミックを用いて形成されている空気消毒器。
【請求項２】
前記本体は、全体が前記セラミックを用いて形成されている請求項１記載の空気消毒器。
【請求項３】
前記送風部および前記照射部は、同一のスイッチ部を経由して電力の供給を受けている請求項１または２に記載の空気消毒器。
【請求項４】
前記第１消毒剤とは異なる第２消毒剤を含む第２消毒部が更に設けられている請求項１から３のいずれか１項に記載の空気消毒器。
【請求項５】
前記第２消毒部は前記流入部に配置され、前記第１消毒部および前記照射部は前記送風部よりも下流側に配置されている請求項４記載の空気消毒器。
【考案の詳細な説明】
【技術分野】
【０００１】
本考案は、空気消毒器に関する。
【背景技術】
【０００２】
従来、室内などの空気中の菌やウイルスなどを消毒する種々の機器、言い換えると抗菌、抗ウイルス作用を有する機器が提案されている（例えば、特許文献１参照。）。特許文献１には、光触媒に紫外線を照射することにより、光触媒の表面に付着した有機物を分解する空気清浄器が開示されている。
【先行技術文献】
【特許文献】
【０００３】
【特許文献１】実用新案登録第３２０７９３８号公報
【考案の概要】
【考案が解決しようとする課題】
【０００４】
特許文献１に記載されているように紫外線の照射を行う機器の場合、紫外線が照射される領域にプラスチック製の部品が存在すると、紫外線が照射されたプラスチックに起因する不具合が発生するという問題があった。
【０００５】
本考案は、上記の課題を解決するためになされたものであって、紫外線の照射による不具合の発生を抑制することができる空気消毒器を提供することを目的とする。
【課題を解決するための手段】
【０００６】
上記目的を達成するために、本考案は、以下の手段を提供する。
本考案の空気消毒器は、空気の流入部、流出部を有するとともに前記空気が流れる流路の周囲を囲う本体と、前記流路に配置され、前記空気を前記流入部から前記流出部に向かって送り出す送風部と、前記流路に配置され、紫外線を照射する照射部と、前記流路に配置されて前記流路を流れる空気と接触する部材であって、前記紫外線の照射を受けて消毒作用を発揮する第１消毒剤が少なくとも表面に設けられた第１消毒部と、が設けられ、前記本体における少なくとも紫外線が照射される領域はセラミックを用いて形成されている。
【０００７】
本考案によれば、紫外線が照射される領域はセラミックを用いて形成される。そのため、プラスチックを用いて形成された場合のように、紫外線が照射されたプラスチックに起因する不具合の発生が抑制される。例えば、紫外線が照射されたプラスチックから有害物質が発生することがない。有害物質には、ポリ塩化ジベンゾパラジオキシン、ポリ塩化ジベンゾフラン、ダイオキシン類ポリ塩化ビニフェニルなどのダイオキシン類が含まれる。また、紫外線が照射されたプラスチックのように劣化が生じにくい。
【考案の効果】
【０００８】
本考案の空気消毒器によれば、紫外線が照射される領域はセラミックを用いて形成されているため、紫外線の照射による不具合の発生を抑制しやすいという効果を奏する。
【図面の簡単な説明】
【０００９】
【図１】本考案の一実施形態に係る空気消毒器の構成説明する模式図である。
【考案を実施するための形態】
【００１０】
この考案の一実施形態に係る空気消毒器について、図１を参照しながら説明する。本実施形態の空気消毒器１は、空気に含まれる細菌やウイルスなどを殺したり、または、病原性を無くしたりするものである。また、空気消毒器１は人体に有害な物質を除去または無害化するものであってもよい。空気消毒器１には、図１に示すように、本体１０と、送風部２０と、照射部３０と、第１消毒部４０と、第２消毒部５０と、が主に設けられている。
【００１１】
本体１０は、空気が流入する流入部１１、流出する流出部１２を有するとともに、空気が流れる流路１３の周囲を囲う形状を有している。本体１０の流路１３、言い換えると内部には送風部２０、照射部３０、および、第１消毒部４０が配置されている。
【００１２】
なお、本体１０の形状は四角筒状であってもよいし、円筒状であってもよいし、四角以外の多角筒状であってもよい。本実施形態では本体１０が、四角筒状に形成された例に適用して説明する。
【００１３】
流入部１１は、本体１０の底面に設けられている。流入部１１は、第２消毒部５０が覆うように配置可能な構成を有している。流出部１２は、本体１０の天面に設けられている。
【００１４】
また、本体１０は、全体がセラミックを用いて形成されている。セラミックとしては、有田焼、瀬戸焼などの陶器や磁器を含む焼き物を例示することができる。本実施形態では、本体１０の全体がセラミックを用いて形成されている例に適用して説明するが、照射部３０により紫外線が照射される範囲のみがセラミックを用いて生成されていてもよい。
【００１５】
本体１０の側面には、スイッチ部１５が設けられている。スイッチ部１５は、送風部２０および照射部３０への電力の供給および停止を制御するものである。スイッチ部１５の構成としては公知の構成を用いることができ、その構成を限定するものではない。
【００１６】
送風部２０は、流路１３に配置されるものであり、空気を流入部１１から流出部１２に向かって送り出すものである。本実施形態では、送風部２０が空気を送り出すファン、および、ファンを回転させる電動モータから構成されている例に適用して説明する。
【００１７】
照射部３０は流路１３に配置されるものであり、紫外線を第１消毒部４０に向かって照射するものである。本実施形態では、照射部３０は送風部２０と流出部１２との間に配置されている例に適用して説明する。
【００１８】
また、照射部３０が紫外線を照射するＬＥＤ（発光ダイオード）である例に適用して説明する。なお、照射部３０は紫外線を照射可能な機器であればよく、ＬＥＤに限定するものではない。
【００１９】
第１消毒部４０は、流路１３を流れる空気と接触するとともに、照射部３０からの紫外線の照射を受ける位置に配置される部材である。第１消毒部４０は照射部３０との間に、所定の距離（例えば１０ｃｍ）を設けて配置されている。本実施形態では、第１消毒部４０は、送風部２０と流出部１２との間に配置されている例に適用して説明する。
【００２０】
第１消毒部４０は少なくともシリカゲルを用いて板状に形成された部材である。第１消毒部４０は、内部に細孔を有する多孔質状に形成されてもよいし、内部が詰まった中実状に形成されてもよい。また、第１消毒部４０の形状は、上述の板状であってもよいし、柱状、球状などの他の形状であってもよい。さらに、紫外線の照射を受けて消毒作用を発揮する第１消毒剤が第１消毒部４０に含まれている。
【００２１】
第１消毒剤は、紫外線の照射を受けて消毒作用を発揮する光触媒である。本実施形態では、第１消毒剤が二酸化チタン（ＴｉＯ２：単に「酸化チタン」とも表記する。）を成分として含むものである例に適用して説明する。なお、第１消毒剤には、酸化チタン以外の消毒作用を発揮する成分が含まれていてもよい。第１消毒剤は、第１消毒部４０における紫外線が照射される表面に塗布されていてもよいし、全面に塗布されていてもよい。
【００２２】
第２消毒部５０は、流入部１１に配置されるものであり、第１消毒剤とは異なる第２消毒剤を含むものである。本実施形態では、第２消毒部５０が円板状または円柱状に形成された例に適用して説明する。
【００２３】
第２消毒部５０には、内容部と、内容部の周囲を覆う一対のカバー部と、が設けられている。内容部には、第２消毒剤を担持する担体が含まれている。
本実施形態では、担体が球状に形成されたシリカゲル（ＳｉＯ２）であり、第２消毒剤がチオスルファト銀錯塩である例に適用して説明する。言い換えると、内容部５１には、チオスルファト銀錯塩担持シリカゲルが含まれる例に適用して説明する。
【００２４】
上述のチオスルファト銀錯塩担持シリカゲルは、例えば次のようにして得ることができる。
まず、イオン交換水６０ｍｌを４０℃に加熱し、それに酢酸銀０．４６４ｇを加え４０〜５０℃で約５分間攪拌した後濾紙（Ｎｏ．２）で濾過し、未溶解の酢酸銀を除去する。こうして得られた溶液に、亜硫酸ナトリウム２．０ｇを攪拌しながら加えた。亜硫酸ナトリウムを加えて白く濁った溶液が透明になるまで攪拌し、その後、チオ硫酸ナトリウム１．３２ｇを加えて攪拌し、チオスルファト銀錯塩溶液を得る。
【００２５】
このチオスルファト銀錯塩溶液に平均粒子径２．６μｍのシリカゲル（商品名サイリシア＃５５０、富士シリシア化学(株)製）１００ｇを加えて約５分間攪拌し、シリカゲルに銀錯塩を担持させた。続いて、チオスルファト銀錯塩溶液とシリカゲルとの混合物をロータリーエバポレーター（商品名ロータリーエバポレーターＲＥ４７、ヤマト科学(株)製）にて、温度約６０℃、圧力を約３０００Ｐａ以下に保って溶媒成分を蒸発させて除去することにより、チオスルファト銀錯塩担持シリカゲルが得られる。
【００２６】
なお、担体はシリカゲルの他にアルミナ（Ａｌ２Ｏ３）や、ゼオライト（Ｚｅｏｌｉｔｅ）であってもよい。第２消毒剤はチオスルファト銀錯塩以外の消毒作用を有する消毒剤であってもよい。
【００２７】
カバー部は、組み合わせると内部に内容部を収納する円板状または円柱状の空間を形成する部材である。また、外部から内部に空気の流入および内部から外部へ空気の流出を許容するものである。カバー部には、本体１０の流出部１２への着脱を可能とする公知の構成が設けられている。
【００２８】
次に、上記の構成からなる空気消毒器１における空気の消毒について説明する。
スイッチ部１５を操作することにより、空気消毒器１による空気の消毒が開始される。具体的には、送風部２０および照射部３０に電力が供給される。送風部２０は、空気を流入部１１から流出部１２に向かって送り出す。また、照射部３０は、第１消毒部４０に向かって紫外線を照射する。
【００２９】
流入部１１に流入する空気は、第２消毒部５０を通過して流路１３に流入する。空気は第２消毒部５０を通過する際に第２消毒剤により消毒される。つまり、空気に含まれる細菌やウイルスが消毒される。すなわち、第１の効果としてチオスルファト銀錯塩による消毒効果が得られる。
【００３０】
流路１３に流入した空気は、送風部２０により流出部１２に向かって送り出される。送り出された空気は、第１消毒部４０と接触し、紫外線が照射された第１消毒剤により消毒される。つまり、空気に含まれる細菌やウイルスが消毒される。その後、空気は流出部１２を通って流路１３の外部へ流出する。第２の効果として紫外線による消毒効果が得られ、第３の効果として光触媒による消毒効果が得られる。
【００３１】
上記の構成の空気消毒器１によれば、本体１０の紫外線が照射される領域はセラミックを用いて形成される。そのため、プラスチックを用いて形成された場合のように、紫外線が照射されたプラスチックに起因する不具合の発生が抑制される。例えば、紫外線が照射されたプラスチックから有害物質が発生することがない。有害物質には、ポリ塩化ジベンゾパラジオキシン、ポリ塩化ジベンゾフラン、ダイオキシン類ポリ塩化ビニフェニルなどのダイオキシン類が含まれる。また、紫外線が照射されたプラスチックのように劣化が生じにくい。
【００３２】
本体１０の全体を、セラミックを用いて形成することにより、紫外線が照射される領域のみをセラミックを用いて形成する場合と比較して、紫外線の照射による不具合の発生を更に抑制しやすくなる。
【００３３】
同一のスイッチ部１５を経由して送風部２０および照射部３０に電力を供給することにより、送風部２０および照射部３０への電力供給および停止を一致させることができる。つまり、送風部２０による送風開始と停止、照射部３０による紫外線の照射開始と停止のタイミングを一致させることができる。
【００３４】
第１消毒剤とは異なる第２消毒剤を含む第２消毒部５０を設けることにより、第１消毒部４０のみが設けられている場合と比較して、流路１３を流れる空気に対する消毒作用を発揮させやすくなる。
【００３５】
第２消毒部５０を流入部１１に配置し、第１消毒部４０および照射部３０を送風部２０よりも下流側に配置することにより、第２消毒部５０に紫外線が照射される可能性が低くなる。そのため、紫外線が照射された第２消毒部５０が不具合を発生させる可能性が低くなる。不具合としては、第２消毒部５０における殺菌作用の低下や、第２消毒部５０からの有害物質の発生などを例示することができる。
【符号の説明】
【００３６】
１０…本体、  １１…流入部、  １２…流出部、  １３…流路、  ２０…送風部、  ３０…照射部、  ４０…第１消毒部、  ５０…第２消毒部
【図１】
0003229080.tif 000003